(57)【要約】【課題】  熱処理炉において加熱処理されたワークを焼入れ室に導いて適切に焼入れ処理できるようにする。【解決手段】  熱処理炉10で加熱処理されてワークWを、熱処理炉と密封されて連続する焼入れ室20内のワーク保持部材21の上に保持させ、プレス手段30によりワークをワーク保持部材に押し付けた状態で、昇降手段40によりワーク保持部材を下降させて、焼入れ室の下方の冷却液槽50の冷却液xに浸漬させると共に、焼入れ室の外部に設けた回転装置60の回転軸62と連動して回転する回転伝達機構70を冷却液中に設け、この回転伝達機構により前記のワーク保持部材を回転させると共に、ワーク保持部材の中央部に設けた貫通穴212に導入させた冷却液噴出管51を通して、冷却液をワーク保持部材の上に保持されたワークの下から噴出させて焼入れ処理する。【選択図】  図７
2019090076.tif 000002
【特許請求の範囲】
【請求項１】
ワークを加熱処理する熱処理炉と焼入れ室とを密封させた状態で連続するように設けると共に、前記の熱処理炉において加熱処理されて焼入れ室内に導入されたワークを前記の焼入れ室内に設けられたワーク保持部材の上に保持させ、前記のワークをプレス手段により前記のワーク保持部材の上に押し付けた状態で、前記のワーク保持部材を昇降手段により下降させて、このワーク保持部材に保持された前記のワークを、焼入れ室の下方に設けた冷却液槽に収容された冷却液中に浸漬させて焼入れ処理するワークの焼入処理装置において、前記の焼入れ室の外部に設けた回転装置から延出された回転軸を前記の冷却液槽に収容された冷却液中に導入させると共に、この回転軸と連動して回転する回転伝達機構を前記の冷却液中に設け、前記のようにプレス手段によりワークが押し付けられた前記のワーク保持部材を焼入れ室の下方に設けた冷却液槽に収容された冷却液中に浸漬させた状態で、前記の回転装置における回転軸により回転伝達機構を介して前記のワーク保持部材を回転させると共に、前記のワーク保持部材の中央部に設けた貫通穴に冷却液噴出管を導入させ、前記の冷却液噴出管から冷却液槽における冷却液を、前記のワーク保持部材の上に保持された前記のワークの下から噴出させることを特徴とするワークの焼入処理装置。
【請求項２】
請求項１に記載のワークの焼入処理装置において、前記の焼入れ室の外側の位置に設けた回転装置から前記の回転軸を下方に向けて延出させて前記の冷却液槽に収容された冷却液中に導入させることを特徴とするワークの焼入処理装置。
【請求項３】
請求項１又は請求項２に記載のワークの焼入処理装置において、ワークを保持させる前記のワーク保持部材の上面部に、ワーク保持部材の中央部に設けた前記の貫通穴からワーク保持部材の外周に延びた複数の冷却液案内溝を設けたことを特徴とするワークの焼入処理装置。
【請求項４】
請求項１〜請求項３の何れか１項に記載のワークの焼入処理装置において、前記の焼入れ室の下方に設けた冷却液槽に収容された冷却液を前記の冷却液噴出管に供給して循環させる循環手段を設けたことを特徴とするワークの焼入処理装置。
【請求項５】
請求項１〜請求項４の何れか１項に記載のワークの焼入処理装置において、前記の焼入れ室の下方における冷却液槽と連通する冷却液槽を取り出し室の下方に設け、前記のワーク保持部材に保持されて焼入れ室の下方の冷却液槽における冷却液中で冷却させたワークを、前記のワーク保持部材から前記の取り出し室における冷却液槽内に昇降可能に設けられた取出し用保持台に送り、この取出し用保持台を取出し用昇降装置により上昇させて、ワークを保持した前記の取出し用保持台を、冷却液槽に収容された冷却液中から取り出し室内に取り出すことを特徴とするワークの焼入処理装置。
【発明の詳細な説明】
【技術分野】
【０００１】
本発明は、熱処理炉において加熱処理されたワークを焼入れ室に導入させ、このワークを焼入れ室内に設けられたワーク保持部材の上に保持させ、前記のワークをプレス手段によりワーク保持部材の上に押し付けた状態で、このワーク保持部材を昇降手段により下降させ、このワーク保持部材に保持されたワークを焼入れ室の下方に設けた冷却液槽に収容された冷却液中に浸漬させて、ワークを焼入れ処理するようにしたワークの焼入処理装置に関するものである。特に、ワークを加熱処理する熱処理炉と密封させた状態で連続するように焼入れ室を設け、前記の熱処理炉において加熱処理されて焼入れ室内に導入されたワークを、焼入れ室内に設けられたワーク保持部材の上に保持させ、前記のワークをプレス手段によりワーク保持部材の上に押し付けた状態で、前記のワーク保持部材を昇降手段により下降させて、このワーク保持部材に保持された前記のワークを焼入れ室の下方に設けた冷却液槽に収容された冷却液中に浸漬させ、この状態で、ワークを保持させたワーク保持部材を回転装置（電動モーター等）により回転させて、ワークを冷却液中で冷却させるにあたり、前記の回転装置が過剰に加熱されるのを防止して、ワークを十分に冷却できるようにした点に特徴を有するものである。
【背景技術】
【０００２】
従来から、ワークを熱処理炉内で加熱処理した後、このワークを熱処理炉から取り出して焼入れ室に導き、この焼入れ室内に設けられたワーク保持部材の上に保持させ、前記のワークをプレス手段によりワーク保持部材の上に押し付けた状態で、このワーク保持部材を昇降手段により下降させ、このワーク保持部材に保持されたワークを焼入れ室の下方に設けた冷却液槽に収容された冷却液中に浸漬させて、ワークを焼入れ処理することが行われている。
【０００３】
ここで、前記のようにワークを熱処理炉内で加熱処理した後、このワークを熱処理炉から取り出して焼入れ室に導くようにした場合、ワークを熱処理炉から焼入れ室に導く途中において、加熱処理させたワークが酸化されたりして劣化するという問題があった。
【０００４】
このため、例えば、特許文献１に示されるように、熱処理炉と密封させた状態で連続するようにして焼入れ室を設けるようにしたものが示されている。
【０００５】
そして、この特許文献１に示されるものにおいては、熱処理炉において加熱処理されたワークを、熱処理炉と連続して設けられた焼入れ室内に設けられた焼入れ用下型に保持させ、この焼入れ用下型に保持されたワークを焼入れ用上型により押さえ付けた状態で、焼入れ室に設けた冷却液槽に収容された冷却液中に浸漬させて焼入れ処理し、このように焼入れ処理したワークを冷却液中から上昇させてリフターに移載し、このリフターを下降させて前記のワークを焼入れ室の冷却液槽に収容された冷却液中に浸漬させた後、このワークを焼入れ室の冷却液槽と連通する取り出し室の冷却液槽における冷却液中に導き、その後、前記のワークを取り出し室の冷却液槽における冷却液中から上昇させ、この取り出し室から焼入れ処理されたワークを取り出すようにしている。
【０００６】
しかし、特許文献１に示されるものにおいては、熱処理炉において加熱処理されたワークを、前記の焼入れ室や取り出し室における冷却液槽に収容された冷却液中を移動させて冷却させるだけであるため、ワーク全体を均一に冷却させることが困難であると共に、ワークを十分に冷却させるのに時間を要するという問題があった。
【０００７】
また、従来においては、特許文献２や特許文献３において、熱処理炉内で加熱処理したリング状のワークを下面保持部材と上面保持部材とによって保持させた状態で、焼入れ室における冷却液槽に収容された冷却液中に浸漬させて焼入れ処理するにあたり、リング状のワークを下面保持部材と上面保持部材とによって保持させて、冷却液中に浸漬させた状態で、焼入れ室内に設けた回転装置によりこれらを回転させて、リング状のワークを冷却させるようにしたものが示されている。
【０００８】
しかし、前記の特許文献２や特許文献３に示されるものにおいては、特許文献１に示されるように、熱処理炉と密封させた状態で連続するようにして冷却液が収容された冷却液槽を有する焼入れ室を設けることは示されておらず、加熱処理したワークを熱処理炉から取り出して焼入れ室に導くようにした場合、前記のように加熱処理させたワークが酸化されたりして劣化するという問題があった。
【０００９】
また、特許文献２や特許文献３に示されるものにおいて、特許文献１に示されるように、熱処理炉と密封させた状態で連続するようにして焼入れ室を設けた場合、焼入れ室の温度が非常に高くなり、焼入れ室内に設けた回転装置がすぐに損傷したり、回転装置の耐熱性を高めるためにコストが高くついたりする等の様々な問題があり、さらに、特許文献２や特許文献３に示されるものにおいては、前記のようにリング状のワークを対象としているが、底面が平坦になったワークを用いた場合、ワークと下面保持部材との間に冷却液が適切に導かれなくなり、ワークの底面側を十分に冷却させることが困難になるおそれもあった。
【先行技術文献】
【特許文献】
【００１０】
【特許文献１】実公平１−２６７５９号公報
【特許文献２】実用新案登録第２５７６９３９号公報
【特許文献３】特開２０１０−２２２６１９号公報
【発明の開示】
【発明が解決しようとする課題】
【００１１】
本発明は、熱処理炉において加熱処理されたワークを焼入れ室に導入させ、このワークを焼入れ室内に設けられたワーク保持部材の上に保持させ、前記のワークをプレス手段によりワーク保持部材の上に押し付けた状態で、このワーク保持部材を昇降手段により下降させ、このワーク保持部材に保持されたワークを焼入れ室の下方に設けた冷却液槽に収容された冷却液中に浸漬させて、ワークを焼入れ処理するようにしたワークの焼入処理装置における前記のような様々な問題を解決することを課題とするものである。
【００１２】
そして、本発明においては、前記のようにワークを加熱処理する熱処理炉と密封させた状態で連続するように焼入れ室を設け、熱処理炉において加熱処理されて焼入れ室内に導入されたワークを、焼入れ室内に設けられたワーク保持部材の上に保持させ、前記のワークをプレス手段によりワーク保持部材の上に押し付けた状態で、前記のワーク保持部材を昇降手段により下降させて、このワーク保持部材に保持された前記のワークを焼入れ室の下方に設けた冷却液槽に収容された冷却液中に浸漬させ、この状態で、ワークを保持させたワーク保持部材を回転装置により回転させて、ワークを冷却液中で冷却させるにあたり、前記の回転装置が過剰に加熱されるのを防止して、ワークを十分に冷却できるようにすることを課題とするものである。
【課題を解決するための手段】
【００１３】
本発明に係るワークの焼入処理装置においては、前記のような課題を解決するため、ワークを加熱処理する熱処理炉と焼入れ室とを密封させた状態で連続するように設けると共に、前記の熱処理炉において加熱処理されて焼入れ室内に導入されたワークを前記の焼入れ室内に設けられたワーク保持部材の上に保持させ、前記のワークをプレス手段により前記のワーク保持部材の上に押し付けた状態で、前記のワーク保持部材を昇降手段により下降させて、このワーク保持部材に保持された前記のワークを、焼入れ室の下方に設けた冷却液槽に収容された冷却液中に浸漬させて焼入れ処理するワークの焼入処理装置において、前記の焼入れ室の外部に設けた回転装置から延出された回転軸を前記の冷却液槽に収容された冷却液中に導入させると共に、この回転軸と連動して回転する回転伝達機構を前記の冷却液中に設け、前記のようにプレス手段によりワークが押し付けられた前記のワーク保持部材を焼入れ室の下方に設けた冷却液槽に収容された冷却液中に浸漬させた状態で、前記の回転装置における回転軸により回転伝達機構を介して前記のワーク保持部材を回転させると共に、前記のワーク保持部材の中央部に設けた貫通穴に冷却液噴出管を導入させ、前記の冷却液噴出管から冷却液槽における冷却液を、前記のワーク保持部材の上に保持された前記のワークの下から噴出させるようにした。
【００１４】
そして、前記のワークの焼入処理装置のように、焼入れ室の外部に設けた回転装置から延出された回転軸を前記の冷却液槽に収容された冷却液中に導入させると共に、この回転軸と連動して回転する回転伝達機構を前記の冷却液中に設け、前記の回転装置における回転軸により回転伝達機構を介して前記のワークを保持させたワーク保持部材を回転させて、ワーク保持部材に保持させたワークを冷却させるようにすると、回転装置が焼入れ室の外部に設けられているため、焼入れ室の内部に回転装置を設けた場合のように回転装置が過剰に加熱されるということがなくなる。
【００１５】
また、前記のようにワーク保持部材の中央部に設けた貫通穴に冷却液噴出管を導入させ、前記の冷却液噴出管から冷却液槽における冷却液を、ワーク保持部材の上に保持された前記のワークの下から噴出させると、ワーク保持部材に保持させたワークの下面も前記の冷却液によって冷却されるようになる。
【００１６】
ここで、前記のように焼入れ室の外部に設けた回転装置から延出された回転軸を前記の冷却液槽に収容された冷却液中に導入させるにあたっては、前記の回転装置を焼入れ室の外側の位置に設け、この回転装置から前記の回転軸を下方に向けて延出されて前記の冷却液槽に収容された冷却液中に導入させるようにすることができる。
【００１７】
また、本発明に係るワークの焼入処理装置においては、ワークを保持させる前記のワーク保持部材の上面部に、ワーク保持部材の中央部に設けた前記の貫通穴からワーク保持部材の外周に延びた複数の冷却液案内溝を設けるようにすることが好ましい。このように、ワーク保持部材の上面部の中央部における貫通穴からワーク保持部材の外周に延びた複数の冷却液案内溝を設けると、底面が平坦になったワークをワーク保持部材の上に保持させ、これらを前記のように冷却液槽に収容された冷却液中において回転装置により回転させた場合に、前記の貫通穴から噴出させた冷却液が、回転するワーク保持部材の上面部に設けられた各冷却液案内溝に沿ってワークの底面との間を通してワーク保持部材の外周側に導かれ、この冷却液によってワークの底面側も十分に冷却されるようになる。
【００１８】
また、本発明に係るワークの焼入処理装置においては、前記のようにワーク保持部材の中央部に設けた貫通穴に冷却液噴出管を導入させ、前記の冷却液噴出管から冷却液槽における冷却液を、ワーク保持部材の上に保持された前記のワークの下から噴出させるにあたっては、焼入れ室の下方における冷却液槽に収容された冷却液を前記の冷却液噴出管に供給して循環させる循環手段を設けるようにすることができる。
【００１９】
また、本発明に係るワークの焼入処理装置においては、前記の焼入れ室の下方における冷却液槽と連通する冷却液槽を取り出し室の下方に設け、前記のワーク保持部材に保持されて焼入れ室の下方の冷却液槽における冷却液中で冷却させたワークを、前記のワーク保持部材から前記の取り出し室における冷却液槽内に昇降可能に設けられた取出し用保持台に送り、この取出し用保持台を取出し用昇降装置により上昇させて、ワークを保持した前記の取出し用保持台を、冷却液槽に収容された冷却液中から取り出し室内に取り出すようにすることができる。
【発明の効果】
【００２０】
本発明におけるワークの焼入処理装置においては、前記のように加熱処理されたワークを熱処理炉と密封させた状態で連続するようにして冷却液が収容された冷却液槽を有する焼入れ室に導き、加熱処理されたワークを焼入れ室内において上下方向に移動するワーク保持部材の上に保持させ、このワークをプレス部材によりワーク保持部材に押し付けた状態で下降させて、ワーク保持部材に保持されたワークを冷却液槽に収容された冷却液中に浸漬させ、この状態で、ワークを保持させたワーク保持部材を回転装置（電動モーター等）により回転させてワークを冷却させるにあたり、回転装置を焼入れ室の外部に設け、この回転装置から延出された回転軸を前記の冷却液槽における冷却液中に導入させ、この回転軸の回転を回転伝達機構によりワークを保持させたワーク保持部材に伝達させて、前記のワーク保持部材に保持されたワークを、前記の冷却液槽内に収容された冷却液中において回転させて冷却させるようにしたため、回転装置が焼入れ室の外部で放冷でき、焼入れ室の内部に回転装置を設けた場合のように回転装置が過剰に加熱されて損傷するということがなくなる。
【００２１】
また、前記のようにワーク保持部材の中央部に設けた貫通穴に冷却液噴出管を導入させ、前記の冷却液噴出管から冷却液槽における冷却液を、ワーク保持部材の上に保持された前記のワークの下から噴出させるようにしたため、ワーク保持部材に保持させたワークの底面も冷却液によって十分に冷却されるようになる。
【図面の簡単な説明】
【００２２】
【図１】本発明の実施形態に係るワークの焼入処理装置において、ワークを加熱処理する熱処理炉と冷却液が収容された冷却液槽を有する焼入れ室とを密封した状態で連通させる連通路を通して、熱処理炉において加熱処理されたワークを焼入れ室内におけるワーク保持部材の上に導く状態を示したワークの移動方向における概略断面説明図である。
【図２】前記の実施形態に係るワークの焼入処理装置において、前記のワークが導かれる焼入れ室内におけるワーク保持部材を回転させる構成として、焼入れ室の外部に設けた回転装置から延出された回転軸を冷却液槽に収容された冷却液中に導入させ、この回転軸と連動して回転する回転伝達機構を設けた状態を示したワークの移動方向と交差する方向における概略断面説明図である。
【図３】前記の実施形態に係るワークの焼入処理装置において、ワークを保持させるワーク保持部材の上面部の例を示し、（Ａ）はワーク保持部材の上面部にワーク保持部材の中央部に設けた貫通穴からワーク保持部材の外周に向けて放射状に複数の直線状になった冷却液案内溝を設けた状態を示した概略平面図、（Ｂ）はワーク保持部材の上面部にワーク保持部材の中央部に設けた貫通穴からワーク保持部材の外周に向けて放射状に複数の円弧状になった冷却液案内溝を設けた状態を示した概略平面図である。
【図４】前記の実施形態に係るワークの焼入処理装置において、熱処理炉において加熱処理されたワークを、連通路を通して焼入れ室内におけるワーク保持部材の上面部に保持させた状態を示したワークの移動方向における概略断面説明図である。
【図５】前記の実施形態に係るワークの焼入処理装置において、図４に示す状態から、焼入れ室の上に設けた昇降装置から焼入れ室内に導入させた一対の吊下げ用チェーンによって昇降される昇降用フレームの上に設けたプレス用シリンダーにおける伸縮ロッドを伸長させ、この伸縮ロッドの先端に回転可能に取り付けられたプレス板によって、焼入れ室内においてワーク保持部材の上面部に保持されたワークを押圧させた状態を示したワークの移動方向における概略断面説明図である。
【図６】前記の実施形態に係るワークの焼入処理装置において、図５に示す状態から、前記の昇降装置に設けた吊下げ用チェーンによって昇降用フレームと一緒に前記のワーク保持部材を下降させて、プレス板によってワークをワーク保持部材の上面部に押圧させた状態で、焼入れ室の冷却液槽における冷却液中に浸漬させた状態を示したワークの移動方向における概略断面説明図である。
【図７】前記の実施形態に係るワークの焼入処理装置において、図６に示した状態から、前記のワーク保持部材を回転装置から延出された回転軸により回転伝達機構を介して回転させると共に、ワーク保持部材の中央部に設けた貫通穴に導入された冷却液噴出管を通して冷却液をワークの底面に向けて噴出させ、ワーク保持部材の上面部に設けた案内溝を通してワークの底面に導いて、ワークを冷却液中で冷却させる状態を示し、（Ａ）は回転装置から延出された回転軸により回転伝達機構を介して前記のワーク保持部材を回転させる状態を示したワークの移動方向と交差する方向における概略断面説明図、（Ｂ）は前記の状態を示したワークの移動方向における概略断面説明図である。
【図８】前記の実施形態に係るワークの焼入処理装置において、図７に示した状態から、回転装置によるワーク保持部材の回転を停止させ、前記のプレス用シリンダーにおける伸縮ロッドを収縮させて、前記のプレス板をワークから離間させて冷却液中から持ち上げた状態を示したワークの移動方向における概略断面説明図である。
【図９】前記の実施形態に係るワークの焼入処理装置において、図８に示した状態から、前記の焼入れ室における冷却液槽の外部に設けた移送用シリンダーにおけるプッシャーを取り出し室に向けて伸長させて、ワーク保持部材の上面部に保持されたワークを、焼入れ室と冷却液槽が連通する取り出し室における冷却液中に浸漬された取出し用保持台の上に移載させた状態を示したワークの移動方向における概略断面説明図である。
【図１０】前記の実施形態に係るワークの焼入処理装置において、図９に示した状態から、前記の移送用シリンダーにおけるプッシャーを収縮させた状態を示したワークの移動方向における概略断面説明図である。
【図１１】前記の実施形態に係るワークの焼入処理装置において、図１０に示した状態から、取り出し室の冷却液槽の冷却液中においてワークが移載された前記の取出し用保持台を取出し用昇降装置により上昇させて、前記の冷却液槽における冷却液中から持ち上げて前記の取出し用保持台を取り出し室内に導くと共に、前記の昇降用ウインチにより前記の昇降台と一緒に前記のワーク保持部材を上昇させて、昇降台及びワーク保持部材を熱処理炉において加熱処理されたワークを導く元の位置に戻した状態を示したワークの移動方向における概略断面説明図である。
【図１２】前記の実施形態に係るワークの焼入処理装置において、図１１に示した状態から、取り出し室内に導かれた前記の取出し用保持台に保持されたワークを、取り出し室内から外部に取り出した状態を示したワークの移動方向における概略断面説明図である。
【発明を実施するための最良の形態】
【００２３】
以下、本発明の実施形態に係るワークの焼入処理装置を添付図面に基づいて具体的に説明する。なお、この発明に係るワークの焼入処理装置は下記の実施形態に示したものに限定されず、発明の要旨を変更しない範囲において、適宜変更して実施できるものである。
【００２４】
ここで、図１等に示す実施形態におけるワークの焼入処理装置においては、ワークＷを加熱処理する熱処理炉１０と、加熱処理されたワークＷを焼入れさせる焼入れ室２０とを密封させた状態で連通路１１により連通させ、熱処理炉１０内において加熱処理されたワークＷを、この連通路１１を通して密封させた状態で前記の焼入れ室２０に導くようにしている。
【００２５】
そして、この実施形態におけるワークの焼入処理装置においては、熱処理炉１０において加熱処理され、前記の連通路１１を通して焼入れ室２０内に導入されたワークＷを、焼入れ室２０内に設けられたワーク保持部材２１の上面部２１１の上に保持させ、ワークＷをプレス手段３０によりワーク保持部材２１の上面部２１１に押し付けた状態で、ワーク保持部材２１を昇降させる昇降手段４０によりワーク保持部材２１を下降させて、このワーク保持部材２１と一緒にその上面部２１１に保持されたワークＷを、焼入れ室２０の下方における冷却液槽５０に収容された冷却液ｘ中に浸漬させ、加熱処理されたワークＷを冷却させて焼入れ処理するようにしている。
【００２６】
ここで、この実施形態におけるワークの焼入処理装置においては、前記のようにワーク保持部材２１を昇降させる昇降手段４０として、図２等に示すように、焼入れ室２０の天井２０ａの上に設けた昇降用装置４１から焼入れ室２０内に一対の吊下げ用チェーン４２を導入させ、この吊下げ用チェーン４２に昇降用フレーム４３を吊下げると共に、この昇降用フレーム４３の両側に設けられたリニアガイド４４を、それぞれ焼入れ室２０内の両側において上下方向に設けられたガイド部材４５にスライド可能に装着させて、前記の昇降用フレーム４３をガイド部材４５に沿って上下方向にスライドできるようにしている。
【００２７】
また、この実施形態においては、前記の昇降用フレーム４３の両側部から一対の支持アーム４６を下方に延出させて、前記の冷却液槽５０に収容された冷却液ｘの中に浸漬させると共に、この一対の支持アーム４６の下端に保持部材４７を設けている。そして、この保持部材４７の中央部に上方に向けて筒状に延出された回転支持部４７ａを設け、この回転支持部４７ａの内周側に設けた軸受け４７ｂを介して前記のワーク保持部材２１を回転可能に保持させるようにしている。
【００２８】
また、前記の保持部材４７においては、前記のワーク保持部材２１を回転させるための回転装置６０を焼入れ室２０の外部に設けるように、この保持部材４７を前記の焼入れ室２０よりも前記のワークＷを移動させる方向と交差する片側の方向に延出された冷却液槽５０における冷却液ｘの中に延出させ、焼入れ室２０の外部に延出された保持部材４７の上に、回転装置６０を冷却液槽５０の上方において保持する回転装置保持台６１を設けている。
【００２９】
そして、この回転装置保持台６１の上に保持された回転装置６０によって回転される回転軸６２を、前記の回転装置保持台６１の上から下方に延出させて冷却液槽５０の冷却液ｘの中に導き、さらにこの回転軸６２を前記の保持部材４７を通して下方に延出させ、この回転軸６２の先端に、前記のワーク保持部材２１を回転させる回転伝達機構７０の１つとして回転ギア７１を設けている。
【００３０】
また、回転軸６２は、冷却液槽５０の冷却液ｘで外部とシールされているため、例えば、冷却液槽５０の底板を貫通させて回転軸６２を設ける場合のように、液漏れ防止のシール機構を設ける必要がなく、構造が簡単になる。
【００３１】
また、前記のワーク保持部材２１においては、図２等に示すように、その中央部に貫通穴２１２を設け、冷却液槽５０における冷却液ｘをワーク保持部材２１の上面部２１１に保持されたワークＷの下から吹き付ける冷却液噴出管５１を導入させる貫通穴２１２を設けると共に、ワーク保持部材２１の上面部に、その中央部における前記の貫通穴２１２からワーク保持部材２１の外周に延びた複数の冷却液案内溝２１３を設け、ワークＷの下から吹き付けられた冷却液ｘを、各冷却液案内溝２１３によりワークＷの下を通してワーク保持部材２１の外周に導いて、ワークＷの下面を冷却液ｘによって冷却させるようにしている。
【００３２】
ここで、ワーク保持部材２１の上面部２１１の中央部における貫通穴２１２からワーク保持部材２１の外周に延びるように設ける複数の冷却液案内溝２１３の形状や数などは特に限定されない。例えば、図３（Ａ）に示すように、ワーク保持部材２１の上面部２１１の中央部における貫通穴２１２からワーク保持部材２１の外周に向けて放射状に複数の直線状になった冷却液案内溝２１３ａを設けるようにしたり、図３（Ｂ）に示すように、ワーク保持部材２１の上面部の中央部における貫通穴２１２からワーク保持部材２１の外周に向けて放射状に複数の円弧状になった冷却液案内溝２１３ｂを設けるようにすることができる。
【００３３】
ここで、ワークＷの下面が平坦であった場合は、冷却液ｘがワークＷの下面の貫通穴２１２の部分にしか接触できないが、このようにするとそれ以外の部分にも冷却液ｘが接触でき、冷却効率が向上する。また、ワーク保持部材２１が回転することにより、冷却液案内溝２１３に遠心力が生じ、冷却液ｘが冷却液案内溝２１３の内部を素速く流れていくようになる。また、図３（Ｂ）に示すように、冷却液案内溝２１３ｂのように円弧状にすることにより、冷却液ｘがさらにスムーズに流れていくようになる。
【００３４】
また、前記のワーク保持部材２１においては、中央部に貫通穴２１２が設けられて前記の上面部２１１から下方に延出された筒状の胴部２１４を、前記の保持部材４７の中央部に上方に向けて筒状に延出された回転支持部４７ａに前記の軸受け４７ｂを介して回転可能に保持させている。
【００３５】
また、このワーク保持部材２１を、前記の回転装置６０によって回転させる回転伝達機構７０として、前記のワーク保持部材２１の胴部２１４の下端にワーク保持部材２１を回転させる径大のギア部７２を設けると共に、前記の回転装置６０によって回転される回転軸６２の先端に設けた前記の回転ギア７１とこのギア部７２とに噛み合うようにして、前記の保持部材４７にアイドルギア７３を設け、回転軸６２の先端に設けた回転ギア７１の回転を前記のアイドルギア７３を介してワーク保持部材２１の胴部２１４の下端におけるギア部７２に伝達させて、ワーク保持部材２１を回転装置６０によって回転させるようにしている。
【００３６】
また、この実施形態におけるワークの焼入処理装置においては、前記のようにワーク保持部材２１の上面部２１１に導かれたワークＷをワーク保持部材２１の上面部２１１に押し付けるプレス手段３０として、前記の昇降用装置４１から焼入れ室２０内に導入させた吊下げ用チェーン４２によって吊下げられた昇降用フレーム４３の上にプレス用シリンダー３１を設け、このプレス用シリンダー３１から下方に向けて伸縮される伸縮ロッド３２の先端部に、軸受け３３を介してプレス板３４を回転可能に取り付けたものを用いている。
【００３７】
そして、前記のプレス用シリンダー３１により伸縮ロッド３２を下方に向けて伸長させ、この伸縮ロッド３２の先端に回転可能に取り付けられた前記のプレス板３４によって、ワーク保持部材２１の上面部２１１に保持されたワークＷを押圧させるようにしている。
【００３８】
また、この実施形態におけるワークの焼入処理装置においては、前記のように加熱処理されてワーク保持部材２１の上面部に保持されたワークＷをプレス手段３０によりワーク保持部材２１の上面部２１１に押し付けた状態で、昇降手段４０により前記のワーク保持部材２１を下降させ、このワーク保持部材２１と一緒にワークＷを焼入れ室２０の下方における冷却液槽５０に収容された冷却液ｘ中に浸漬させて焼入れ処理する場合に、ワーク保持部材２１の中央部における前記の貫通穴２１２に導入させた冷却液噴出管５１を通して、冷却液槽５０内の冷却液ｘをワークＷの下から吹き付けるにあたって、冷却液槽５０内における冷却液ｘを循環させるようにして前記の冷却液噴出管５１に供給する循環ポンプ等の循環手段５２を設け、この循環手段５２により冷却液槽５０内における冷却液ｘを前記の冷却液噴出管５１を通して前記のワークＷの下に連続して吹き付けるようにしている。
【００３９】
また、この実施形態におけるワークの焼入処理装置においては、前記の焼入れ室２０よりもワークＷの送り方向下流側に、焼入れ室２０の下方における冷却液ｘを収容させた冷却液槽５０と連通する取り出し室８０を設け、この取り出し室８０の上に設けた取出し用昇降装置８１から昇降用ロッド８２を取り出し室８０内に延出させて、この昇降用ロッド８２の先端部に取出し用保持台８３を取り付けている。
【００４０】
また、焼入れ室２０と取り出し室８０とは、その間に隔壁１２が設けられ、その下端を冷却液ｘに浸漬させることにより、熱処理室１０や連通路１１や焼入れ室２０の内部の雰囲気が外部に漏れないようにシールされている。
【００４１】
そして、前記の取出し用昇降装置８１から昇降用ロッド８２を伸長させて、前記の取出し用保持台８３を取り出し室８０の下方における冷却液槽５０に収容された冷却液ｘ中に浸漬させて保持させるようにする一方、前記の昇降用ロッド８２を収縮させて、前記の冷却液槽５０における冷却液ｘ中に浸漬された取出し用保持台８３を、冷却液ｘ中から取り出し室８０内に取り出し、取り出し室８０内に取り出された前記のワークＷを、取り出し室８０から外部に設けた送り部材８５に導くようにしている。
【００４２】
また、この実施形態におけるワークの焼入処理装置においては、前記の取り出し室８０と反対側におけるワークＷの送り方向上流側における冷却液槽５０の外部に移送用シリンダー５３を設け、この移送用シリンダー５３から冷却液槽５０における冷却液ｘ中に導入させたプッシャー５３ａをワークＷの送り方向に伸縮させるようにしている。
【００４３】
そして、ワーク保持部材２１の上面部２１１に保持させたワークＷを、前記のように焼入れ室２０の下方における冷却液槽５０に収容された冷却液ｘ中に浸漬させて冷却させ、前記のプレス手段３０におけるプレス板３４によるワークＷの押し付けを解除させた後、前記の移送用シリンダー５３におけるプッシャー５３ａを前記の取り出し室８０に向けて伸長させて、ワーク保持部材２１の上面部２１１に保持させたワークＷを、焼入れ室２０と取り出し室８０との間の冷却液槽５０の冷却液ｘ中に設けられた案内ガイド台８４を通して、前記のように取り出し室８０の下方における冷却液槽５０の冷却液ｘ中に浸漬させた状態にある前記の取出し用保持台８３の上に移載させるようにしている。
【００４４】
そして、この実施形態におけるワークの焼入処理装置において、熱処理炉１０において加熱処理されたワークＷを焼入れ室２０において焼入れ処理するにあたっては、熱処理炉１０において加熱処理されたワークＷを、図４に示すように、熱処理炉１０と焼入れ室２０とを密封させた状態で連通させた連通路１１を通して焼入れ室２０内に導くと共に、前記の昇降手段４０によって前記のワーク保持部材２１を焼入れ室２０内において上昇させて、このワーク保持部材２１の上面部２１１の上にワークＷを保持させるようにする。
【００４５】
また、このようにワーク保持部材２１の上面部２１１の上にワークＷを保持させた後、図５に示すように、前記のようにプレス手段３０における伸縮ロッド３２を伸長させて、この伸縮ロッド３２の先端に回転可能に取り付けられた前記のプレス板３４によって、前記のワークＷをワーク保持部材２１の上面部２１１に押し付けるようにする。
【００４６】
そして、このようにプレス手段３０におけるプレス板３４によってワークＷをワーク保持部材２１の上面部２１１に押し付けた状態で、図６に示すように、前記の昇降手段４０によって前記のワーク保持部材２１と一緒にプレス手段３０を下降させ、このワーク保持部材２１の上面部２１１に保持されたワークＷを、焼入れ室２０の下方における冷却液槽５０に収容された冷却液ｘ中に浸漬させると共に、前記のワーク保持部材２１の中央部における前記の貫通穴２１２内に、冷却液槽５０に収容された冷却液ｘをワーク保持部材２１の上面部２１１に保持されたワークＷの下から吹き付ける冷却液噴出管５１を挿入させる。
【００４７】
次いで、このようにプレス板３４によってワークＷをワーク保持部材２１の上面部２１１に押し付け、ワーク保持部材２１の上面部２１１に保持されたワークＷを焼入れ室２０の下方における冷却液槽５０に収容された冷却液ｘ中に浸漬させると共に、ワーク保持部材２１の中央部における貫通穴２１２内に冷却液噴出管５１を挿入させた状態で、図７（Ａ），（Ｂ）に示すように、焼入れ室２０の外部に設けた回転装置６０から冷却液槽５０に収容された冷却液ｘの中に導入させた回転軸６２を回転させ、この回転軸６２の先端に設けた回転ギア７１と、ワーク保持部材２１の下端における径大のギア部７２と、前記の回転ギア７１とギア部７２とに噛み合うようにして保持部材４７に設けたアイドルギア７３とからなる回転伝達機構７０を介して、前記のワーク保持部材２１と一緒に、プレス板３４によってワーク保持部材２１の上面部２１１に押し付けたワークＷを回転させて、ワークＷを冷却液槽５０における冷却液ｘ中で冷却させるようにする。また、前記の冷却液槽５０内における冷却液ｘを前記の循環手段５２によって循環させながら、この冷却液ｘをワーク保持部材２１の中央部における貫通穴２１２に導入させた前記の冷却液噴出管５１を通してワークＷの下に連続して吹き付けると共に、このように吹付けた冷却液ｘをワーク保持部材２１の上面部２１１の中央部における貫通穴２１２からワーク保持部材２１の外周に延びるように設けた各冷却液案内溝２１３を通してワークＷの下に導き、ワークＷの下面も冷却液ｘによって冷却させるようにする。
【００４８】
また、このようにしてワーク保持部材２１の上面部２１１におけるワークＷを冷却させた後、図８に示すように、前記のプレス手段３０における伸縮ロッド３２を収縮させて、ワークＷをワーク保持部材２１の上面部２１１に押し付けていたプレス板３４を冷却液槽５０における冷却液ｘの上に移動させる。
【００４９】
次いで、図９に示すように、取り出し室８０と反対側におけるワークＷの送り方向上流側における冷却液槽５０の外部に設けた移送用シリンダー５３から冷却液槽５０における冷却液ｘ中に導入させたプッシャー５３ａをワークＷの送り方向に伸長させて、ワーク保持部材２１に上面部２１１に保持させたワークＷを、焼入れ室２０と取り出し室８０との間の冷却液槽５０の冷却液ｘ中における案内ガイド台８４を通して、前記のように取り出し室８０の下方における冷却液槽５０の冷却液ｘ中に浸漬させた状態にある取出し用保持台８３の上に移載させる。その後、図１０に示すように、前記の移送用シリンダー５３からワークＷの送り方向に伸長させたプッシャー５３ａを収縮させて元の位置に戻す。
【００５０】
そして、前記のように取り出し室８０の下方における冷却液槽５０の冷却液ｘ中に浸漬させた取出し用保持台８３にワークＷを移載させた後、図１１に示すように、前記の取り出し室８０の上に設けた取出し用昇降装置８１における昇降用ロッド８２を収縮させて、ワークＷが移載された前記の取出し用保持台８３を上昇させ、この取出し用保持台８３を前記の冷却液槽５０における冷却液ｘの上に移動させて取り出し室８０内に導くと共に、前記の昇降手段４０によってワークＷを移動させた後のワーク保持部材２１とプレス手段３０とを上昇させて焼入れ室２０内に導き、これらを元の状態に戻す。
【００５１】
その後、図１２に示すように、取り出し室８０内に導かれた前記の取出し用保持台８３に保持されたワークＷを、この取り出し室８０の外部に設けた送り部材８５に導くようにすると共に、前記のように熱処理炉１０において加熱処理されたワークＷを、熱処理炉１０と焼入れ室２０とを密封させた状態で連通させた連通路１１に導き、前記のような操作を繰り返して行い、熱処理炉１０において加熱処理されたワークＷを順々に焼入れ処理するようにしている。
【符号の説明】
【００５２】
１０      ：熱処理炉
１１      ：連通路
１２      ：隔壁
２０      ：焼入れ室
２０ａ    ：天井
２１      ：ワーク保持部材
３０      ：プレス手段
３１      ：プレス用シリンダー
３２      ：伸縮ロッド
３３      ：軸受け
３４      ：プレス板
４０      ：昇降手段
４１      ：昇降用装置
４２      ：吊下げ用チェーン
４３      ：昇降用フレーム
４４      ：リニアガイド
４５      ：ガイド部材
４６      ：支持アーム
４７      ：保持部材
４７ａ    ：回転支持部
４７ｂ    ：軸受け
５０      ：冷却液槽
５１      ：冷却液噴出管
５２      ：循環手段
５３      ：移送用シリンダー
５３ａ    ：プッシャー
６０      ：回転装置
６１      ：回転装置保持台
６２      ：回転軸
７０      ：回転伝達機構
７１      ：回転ギア
７２      ：ギア部
７３      ：アイドルギア
８０      ：取り出し室
８１      ：取出し用昇降装置
８２      ：昇降用ロッド
８３      ：取出し用保持台
８４      ：案内ガイド台
８５      ：送り部材
２１１    ：上面部
２１２    ：貫通穴
２１３    ：冷却液案内溝
２１３ａ  ：冷却液案内溝
２１３ｂ  ：冷却液案内溝
２１４    ：胴部
Ｗ        ：ワーク
ｘ        ：冷却液
【図１】
2019090076.tif 000003
【図２】
2019090076.tif 000004
【図３】
2019090076.tif 000005
【図４】
2019090076.tif 000006
【図５】
2019090076.tif 000007
【図６】
2019090076.tif 000008
【図７】
2019090076.tif 000009
【図８】
2019090076.tif 000010
【図９】
2019090076.tif 000011
【図１０】
2019090076.tif 000012
【図１１】
2019090076.tif 000013
【図１２】
2019090076.tif 000014
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
ワークを加熱処理する熱処理炉と焼入れ室とが密封させた状態で連続するように設けられると共に、前記の熱処理炉において加熱処理されて焼入れ室内に導入されたワークが前記の焼入れ室内に設けられたワーク保持部材の上に保持され、前記のワークがプレス手段により前記のワーク保持部材の上に押し付けられた状態で、前記のワーク保持部材が昇降手段により下降されて、このワーク保持部材に保持された前記のワークが、焼入れ室の下方に設けた冷却液槽に収容された冷却液中に浸漬されて焼入れ処理されるワークの焼入処理装置において、前記の焼入れ室の外部に設けた回転装置から延出された回転軸が前記の冷却液槽に収容された冷却液中に導入されると共に、この回転軸と連動して回転する回転伝達機構が前記の冷却液中に設けられ、前記のようにプレス手段によりワークが押し付けられた前記のワーク保持部材が焼入れ室の下方に設けた冷却液槽に収容された冷却液中に浸漬された状態で、前記の回転装置における回転軸により回転伝達機構を介して前記のワーク保持部材が回転されると共に、前記のワーク保持部材の中央部に設けた貫通穴に冷却液噴出管が導入され、前記の冷却液噴出管から冷却液槽における冷却液が、前記のワーク保持部材の上に保持された前記のワークの下から噴出されることを特徴とするワークの焼入処理装置。
【請求項２】
請求項１に記載のワークの焼入処理装置において、前記の焼入れ室の外側の位置に設けられた回転装置から前記の回転軸が下方に向けて延出されて前記の冷却液槽に収容された冷却液中に導入されていることを特徴とするワークの焼入処理装置。
【請求項３】
請求項１又は請求項２に記載のワークの焼入処理装置において、ワークを保持させる前記のワーク保持部材の上面部に、ワーク保持部材の中央部に設けられた前記の貫通穴からワーク保持部材の外周に延びた複数の冷却液案内溝が設けられたことを特徴とするワークの焼入処理装置。
【請求項４】
請求項１〜請求項３の何れか１項に記載のワークの焼入処理装置において、前記の焼入れ室の下方に設けられ冷却液槽に収容された冷却液が前記の冷却液噴出管に供給されて循環される循環手段が設けられたことを特徴とするワークの焼入処理装置。
【請求項５】
請求項１〜請求項４の何れか１項に記載のワークの焼入処理装置において、前記の焼入れ室の下方における冷却液槽と連通する冷却液槽が取り出し室の下方に設けられ、前記のワーク保持部材に保持されて焼入れ室の下方の冷却液槽における冷却液中で冷却されたワークが、前記のワーク保持部材から前記の取り出し室における冷却液槽内に昇降可能に設けられた取出し用保持台に送られ、この取出し用保持台が取出し用昇降装置により上昇されて、ワークを保持した前記の取出し用保持台が、冷却液槽に収容された冷却液中から取り出し室内に取り出されることを特徴とするワークの焼入処理装置。
【手続補正２】
【補正対象書類名】明細書
【補正対象項目名】００１３
【補正方法】変更
【補正の内容】
【００１３】
本発明に係るワークの焼入処理装置においては、前記のような課題を解決するため、ワークを加熱処理する熱処理炉と焼入れ室とが密封させた状態で連続するように設けられると共に、前記の熱処理炉において加熱処理されて焼入れ室内に導入されたワークが前記の焼入れ室内に設けられたワーク保持部材の上に保持され、前記のワークがプレス手段により前記のワーク保持部材の上に押し付けられた状態で、前記のワーク保持部材が昇降手段により下降されて、このワーク保持部材に保持された前記のワークが、焼入れ室の下方に設けた冷却液槽に収容された冷却液中に浸漬されて焼入れ処理されるワークの焼入処理装置において、前記の焼入れ室の外部に設けた回転装置から延出された回転軸が前記の冷却液槽に収容された冷却液中に導入されると共に、この回転軸と連動して回転する回転伝達機構が前記の冷却液中に設けられ、前記のようにプレス手段によりワークが押し付けられた前記のワーク保持部材が焼入れ室の下方に設けた冷却液槽に収容された冷却液中に浸漬された状態で、前記の回転装置における回転軸により回転伝達機構を介して前記のワーク保持部材が回転されると共に、前記のワーク保持部材の中央部に設けた貫通穴に冷却液噴出管が導入され、前記の冷却液噴出管から冷却液槽における冷却液が、前記のワーク保持部材の上に保持された前記のワークの下から噴出されるようになっている。